(57)【要約】【課題】上部窓の透光パネルを透過した太陽光が上部窓よりも下方に直接照射されることがないと共に、その太陽光を天井面に照射できるようにした上部窓を備えた建具とする。【解決手段】上部窓１の室内側下部にパネル体３を室内側に向けて横向きに取付け、その上部窓１の透光パネル２を透過して太陽光がパネル体３で上部窓１よりも上方に向けて反射するようにした建具で、このようにすることで太陽光が上部窓１よりも下方に直接照射されることがないと共に、その太陽光が天井面に照射されて部屋内を間接的に明るくできる。【選択図】図２
2008081992.tif 000002
【特許請求の範囲】
【請求項１】
透光パネルを有した上部窓を備えた建具であって、
この上部窓の室内側下部に、パネル体を、前記透光パネルを透過した太陽光が当該パネル体で、上方に向けて反射されるように、室内側に向けて横向きに取付けたことを特徴とする建具。
【請求項２】
パネル体を、横向き姿勢と透光パネルと対峙した縦向き姿勢とに亘って上下回動自在に取付けた請求項１記載の建具。
【請求項３】
パネル体を上下回動自在に取付ける支持手段と、建具枠の縦枠に沿って上下に移動する移動子と、この移動子とパネル体を連結するリンクと、前記縦枠における上部窓よりも低い位置に上下動自在に設けた操作部材と、この操作部材と前記移動子を連結する作動部材を設け、前記操作部材を上下に移動操作することでパネル体が縦向き姿勢と横向き姿勢とに亘って回動するようにした請求項２記載の建具。
【請求項４】
操作部材を所定の位置とすることでパネル体が縦向き姿勢となるようにし、この操作部材を所定の位置でロック、ロック解除するロック機構を設けた請求項３記載の建具。
【請求項５】
建具枠の上部に上障子を上下動自在に設けて上部窓を上げ下げ窓とし、
この上障子とロック機構を、その上障子を下方に移動して上部窓を開放するとロック状態のロック機構が自動的にロック解除されるように連係した請求項４記載の建具。
【請求項６】
移動子、リンク、作動部材、ロック機構を、建具枠の縦枠に内蔵した請求項４又は５記載の建具。
【発明の詳細な説明】
【技術分野】
【０００１】
本発明は、上げ下げ窓、引き違い窓、開き窓、固定窓などの普通の窓と、この窓の上部に設けた採光などのための上部窓を備えた建具に関する。
【背景技術】
【０００２】
特許文献１には、腰パネル部と換気部とＦｉｘ部を備えたサッシが記載され、このサッシを建物の壁の開口部に取付けることで、その腰パネル部が部屋の床寄りの普通の窓となると共に、Ｆｉｘ部が部屋の天井面寄りの上部窓となる。
前記上部窓は普通の窓よりも高い位置で天井面近くであるから、その上部窓は採光効率が良く、採光などのために用いられる。
【０００３】
【特許文献１】特開平１１−２００７１９号公報
【発明の開示】
【発明が解決しようとする課題】
【０００４】
前述の上部窓を備えた建具であれば、その上部窓によって部屋内に太陽光を十分に採り入れて明るくできる。
しかし、上部窓を有した建具を取付けた部屋は早朝から太陽光が部屋内の上部窓よりも下方まで直接に照射されるので、部屋内が早朝から明るくなり過ぎ、部屋内の人が不快を感じることがある。
例えば、寝室に上部窓を備えた建具を取付けた場合には、早朝から太陽光が部屋内の近くまで直接照射されて明るくなり過ぎ、寝ている人にとっては明る過ぎたり、まぶしく感じて寝ていられなくなることがある。
【０００５】
このことを解消するには、上部窓の室内側にカーテンを取付け、このカーテンを閉じることで太陽光が上部窓から部屋内に照射されないようにすることが考えられる。
しかし、このようにした場合には、カーテンを閉じることで、太陽光が部屋内に照射されないので、上部窓を備えた建具を取付けたことの利点を損なうことになる。
【０００６】
本発明の目的は、上部窓を透過した太陽光が、その上部窓よりも下方向けて直接照射されることがなく、上部窓よりも上方に向けて照射されるようにした上部窓を備えた建具を提供することである。
【課題を解決するための手段】
【０００７】
本発明は、透光パネルを有した上部窓を備えた建具であって、
この上部窓の室内側下部に、パネル体を、前記透光パネルを透過した太陽光が当該パネル体で、上方に向けて反射されるように、室内側に向けて横向きに取付けたことを特徴とする建具である。
【０００８】
本発明の建具においては、そのパネル体を、横向き姿勢と透光パネルと対峙した縦向き姿勢とに亘って上下回動自在に取付けることができる。
このようにすれば、パネル体を縦向き姿勢とすることで、透光パネルを透過した太陽光が部屋内に入り込むことがないので、部屋内を暗くできる。
つまり、パネル体をカーテンなどの遮光部材として利用できる。
【０００９】
本発明の建具においては、パネル体を上下回動自在に取付ける支持手段と、建具枠の縦枠に沿って上下に移動する移動子と、この移動子とパネル体を連結するリンクと、前記縦枠における上部窓よりも低い位置に上下動自在に設けた操作部材と、この操作部材と前記移動子を連結する作動部材を設け、前記操作部材を上下に移動操作することでパネル体が縦向き姿勢と横向き姿勢とに亘って回動するようにすることができる。
このようにすれば、上部窓よりも低い位置でパネル体を縦向き姿勢と横向き姿勢に回動できるので、その操作が容易である。
【００１０】
本発明の建具を前述のようにした場合には、その操作部材を所定の位置とすることでパネル体が縦向き姿勢となるようにし、この操作部材を所定の位置でロック、ロック解除するロック機構を設けることができる。
このようにすれば、パネル体を縦向き姿勢で保持することができる。
【００１１】
本発明の建具を前述のようにロック機構を有したものとした場合には、建具枠の上部に上障子を上下動自在に設けて上部窓を上げ下げ窓とし、
この上障子とロック機構を、その上障子を下方に移動して上部窓を開放するとロック状態のロック機構が自動的にロック解除されるように連係することができる。
このようにすれば、上障子を下方に移動して上部窓を開放すると、縦向き姿勢で保持されていたパネル体が自動的に回動して横向き姿勢となるので、上部窓が開放している時にパネル体が縦向き姿勢となることがなく、パネル体が風等で煽られて損傷等することがない。
【００１２】
本発明の建具を前述のようにロック機構を有したものとした場合には、そのロック機構、移動子、リンク、作動部材を建具枠の縦枠に内蔵することができる。
このようにすれば、見栄えが良い。
【発明の効果】
【００１３】
本発明によれば、上部窓の透光パネルを透過した太陽光は、パネル体で上部窓よりも上方に向けて反射されるから、その太陽光が上部窓よりも下方に向けて直接照射されることがなく、部屋内が明るくなり過ぎることがないと共に、部屋内の人がまぶしく感じることがない。
したがって、寝室に用いる上部窓を備えた建具として好ましい。
また、上部窓の透光パネルを透過した太陽光は、パネル体で反射されて天井面に照射されるので、部屋内が太陽光で間接的に明るくなるから、上部窓を備えた建具を取付けた利点を損なうことがない。
【発明を実施するための最良の形態】
【００１４】
図１と図２に示すように、普通の窓の上部に上部窓１を取付けて上部窓を備えた建具としてある。前記上部窓１はガラス板などの透光パネル２を有し、建物の壁の上部天井面に近くに位置する。
この上部窓１の透光パネル２を通して太陽光が矢印ａで示すように部屋内に照射される。
前記上部窓１の室内側下部にパネル体３が、部屋内（室内側）に向けて横向きに取付けてある。このパネル体３の左右寸法は透光パネル２の左右寸法よりも大きい。パネル体３は光を全反射するもの、一部を反射し残りが透過するものでも良い。なお、横向きとは水平姿勢及び水平姿勢よりも若干上向きに斜めの姿勢、水平姿勢よりも若干下向きに斜めの姿勢である。
【００１５】
前記透光パネル２を通して部屋内に照射された太陽光はパネル体３に当たって矢印ｂのように上部窓１よりも上方に向けて反射し、図示しない天井面に向けて照射される。
このようであるから、上部窓１を透過した太陽光は上部窓１よりも下方に向けて直接照射されることがなく、上部窓１よりも上方に向けて照射される。
したがって、部屋内が明るくなり過ぎることがないと共に、部屋内の人がまぶしく感じることがない。しかも、太陽光が天井面を照射するので、部屋内が太陽光によって間接的に明るくなるから、上部窓１を備えた建具を取付けた利点を損なうことがない。
【００１６】
図１、図２に示す実施の形態では、１つの建具枠、例えば窓枠４の上部に上障子５を設けて上部窓１とし、その窓枠４の下部に下障子６を設けて下部窓７とし、前記窓枠４の上下中間に中間障子８を設けて中間窓９としてある。この中間窓９が前述の普通の窓である。
これによって、上部窓１と中間窓９と下部窓７を備えた建具を構成している。
【００１７】
このようであるから、図示しない建物の壁に、床と天井近くまでの縦に長い開口部を形成し、この開口部に前述の窓枠４を取付けることで、上部窓と下部窓と中間窓を有する壁面を構成でき、その作業が簡単である。
すなわち従来は、上部窓、中間窓、下部窓をそれぞれ別々に製作し、必要に応じて上部窓、中間窓、下部窓を建物の壁の開口部に取付けているので、上部窓、中間窓、下部窓を有する壁面とするには上部窓、中間窓、下部窓を壁の開口部に順次取付けるので、その取付け作業が面倒であった。
【００１８】
前述のように、上部窓１よりも下方に窓があるので、前記パネル体３に図２に仮想線で示すように遮蔽部材、例えばカーテン１０を取付け、そのカーテン１０で下方の窓の室内側を開閉できるようにすることができる。この遮蔽部材はブラインドであっても良い。
このカーテン１０は、パネル体３に取付けたカーテンレール１１に沿ってカーテン布地１２を開閉自在に設けたものでも良いし、図示しないがケース内にカーテン布地を収容、引き出し自在に設けたものとしても良い。
【００１９】
前記上障子５は窓枠４の上部に上下動自在に装着され、上部窓１は上げ下げ窓としてある。
前記下障子６は窓枠４の下部に上下動自在に装着され、下部窓７は上げ下げ窓としてある。
前記中間障子８は窓枠４の上下中間に固定して取付けられ、中間窓９は固定窓である。
そして、上障子５と下障子６は連動して上下に移動して開閉する。
【００２０】
例えば、図１と図２に示すように窓枠４を上枠１３と下枠１４と左右の縦枠１５で方形状とし、その縦枠１５に滑車１６を取付ける。この滑車１６にロープ１７を巻掛け、そのロープ１７の一端部を上障子５に連結し、他端部を下障子６に連結する。
そして、下障子６を取手１８を持って上に移動するとロープ１７が弛んで上障子５が自重等で下方に移動し、下障子６を取手１８を持って下に移動するとロープ１７の一端部分が引っ張られて上障子５が移動する。
【００２１】
図２に示すように、前記パネル体３の一端部３ａは上部窓１の室内側下部に支持手段２０で横向き姿勢と縦向き姿勢とに亘って上下回動自在に支持してある。前記縦向き姿勢とは上部窓１の透光パネル２と対峙した姿勢である。
前記縦枠１５に沿って上下方向に移動する移動子３０とパネル体３とに亘ってリンク４０が連結され、その移動子３０が上方に移動するとパネル体３が上方に回動し、下方に移動するとパネル体３が下方に回動する。
前記上部窓１よりも低い位置に操作部材５０が上下動自在に設けて、その操作部材５０を部屋内の人が操作し易いようにしてある。
前記操作部材５０と移動子３０が図１、図２に示すように作動部材６０で連結してある。
【００２２】
このようであるから、操作部材５０を上に操作（移動）すると作動部材６０とともに移動子３０が上方に移動し、リンク４０を介してパネル体３が上方に回動する。
前記操作部材５０を下に操作（移動）すると作動部材６０とともに移動子３０が下方に移動し、リンク４０を介してパネル体３が下方に回動する。
したがって、パネル体３を縦向き姿勢として上部窓１の透光パネル２と対峙させることで、その透光パネル２を透過した太陽光が部屋内に入り込まないようにできるので、部屋の内を暗くすることができる。つまり、パネル体３をカーテンとして利用できる。
また、操作部材５０は上部窓１よりも低い位置に設けてあるので、部屋内の人が簡単に操作できる。
【００２３】
次に、前述の各部材の具体形状を説明する。
図３と図４に示すように前記中間障子８の上部（上横框）８ａに取付横材２１が固着して取付けてある。
この取付横材２１は横向片２１ａと縦向片２１ｂで断面Ｌ字状で、その横向片２１ａの長手方向両端部に立上り片２１ｃを有した形状で、この縦向片２１ｂはパネル体３の左右長さとほぼ同一長さで、横向片２１ａはパネル体３の左右長さよりも長い。
前記取付横材２１の横向片２１ａが前記上横框８ａの上面にビス２２で固着して取付けてある。
この取付横材２１の立上り片２１ｃに前記支持手段２０が取付けてある。この支持手段２０は回転式ダンパとしてあり、その軸２０ａがブラケット２３でパネル体３の一端部３ａに連結されている。
【００２４】
このようであるから、回転式ダンパによってパネル体３は下から上に向けてスムーズに回動し、上から下に向けてはゆっくりと回動する。
前記パネル体３が横向き姿勢の時には取付横材２１の縦向片２１ｂの上端面に接し、縦向き姿勢の時には縦向片２１ｂの室外側面にパネル体３が接するようにしてある。つまり、取付横材２１はパネル体３を横向き姿勢、縦向き姿勢で位置決めする役目を果たす。
【００２５】
前記移動子３０は、縦枠１５に沿って上下に摺動する。例えば、移動子３０に、縦枠１５のガイド片３１が摺動自在に嵌合されるガイド溝３２が形成されている。
この移動子３０は、前記ガイド溝３２の上下長さを長くして安定して摺動するようにしてあるので、その移動子３０が下方の位置に移動した時に、前記立上り片２１ｃと干渉するので、その移動子３０の下方部分に切欠部３３を形成して干渉しないようにしてある。
【００２６】
前記リンク４０の一端部はパネル体３に固着したブラケット４１にピン４２で上下回動自在に連結され、その他端部は移動子３０にピン４３で上下回動自在に連結されている。
これによって、移動子３０が上下に移動することでリンク４０を介してパネル体３がスムーズに上下に回動する。前記移動子３０、リンク４０は縦枠１５に内蔵されている。
【００２７】
前記操作部材５０は図５、図６に示すように、本体５１と、この本体５１に設けた操作ハンドル５２を有している。
前記本体５１は縦枠１５に沿って上下に移動する。例えば、縦枠１５の一対のガイド片５３，５３に沿って上下に移動する。
前記操作ハンドル５２は本体５１に縦向きの非操作姿勢と横向きの操作姿勢とに亘って上下に回動自在に取付けてある。例えば、本体５１に固着したブラケット５２ａにピン５２ｂで上下回動自在に取付けてある。
前記本体５１に作動部材６０の下端部が連結され、この作動部材６０の上端部が移動子３０に固着して連結されている。この作動部材６０は縦枠１５に内蔵されている。
【００２８】
このようであるから、操作ハンドル５２を操作姿勢として本体５１を上下に移動すると、作動部材６０を介して移動子３０が上下に移動する。
また、操作ハンドル５２は操作姿勢の時に横向きであるから、その操作ハンドル５２を人が握って上下に移動操作し易い。
また、操作ハンドル５２を操作しない時には縦向きの非操作姿勢とすることで、その操作ハンドル５２が目立つことがないようにできる。
【００２９】
前記操作部材５０の本体５１を所定の位置（つまり、パネル体３を縦向き姿勢とする位置）で移動しないようにロック及びロック解除するロック機構が設けてある。好ましくは本体５１と縦枠１５とに亘って設けてあり、そのロック機構は縦枠１５に内蔵される。
例えば、本体５１にロック部材５４を設け、このロック部材５４を縦枠１５のロック部５５に係止することで本体５１を前述の所定の位置でロックし、その係止を解除することでロックを解除するようにしてある。
【００３０】
このように、操作部材５０の本体５１にロック部材５４を設けてロック、ロック解除することで、パネル体３を縦向き姿勢でロック、ロック解除するようにすれば、パネル体３のロック、ロック解除が容易にできる。
すなわち、パネル体３は上部窓１の室内側下部に取付けてあるので、そのパネル体３は高い位置で、人の手が届かないから、パネル体３を縦向き姿勢で直接ロック、ロック解除すると、その操作がやりづらい。
【００３１】
次に、前記ロック機構の具体形状を説明する。
前記ロック部材５４は、ロック片５４ａと操作片５４ｂを有し、縦軸５４ｃで本体５１にロック位置とロック解除位置に亘って揺動自在に取付けてある。前記ロック片５４ａが縦枠１５のガイド片５３に形成した切欠部５３ａ（前述のロック部５５）と対向し、操作片５４ｂは操作ハンドル５２側に突出している。
前記縦軸５４ｃにばね５６が設けてあると共に、このばね５６と対向した摺動子５７が本体５１に設けてある。
そして、操作ハンドル５２が図５に示す縦向きの非操作姿勢であると、操作ハンドル５２と摺動子５７は離れ、ばね５６のばね力がロック部材５４に作用しないようにしてある。
前記操作ハンドル５２を図７に示す横向きの操作姿勢とすると、操作ハンドル５２が摺動子５７を押し、その摺動子５７がばね５６を押してばね５６のばね力でロック部材５４をロック位置に向けて揺動付勢する。つまり、摺動子５７がばね５６のばね受けとなっている。
【００３２】
前記本体５１はロック部材５４、ばね５６、摺動子５７を取付けるための空洞部分を必要とするので、図５、図６に示すように本体５１を第１部材５１ａと第２部材５１ｂを重ねて固定したものとしてある。
そして、第１部材５１ａと第２部材５１ｂで作動部材６０の下端部分を挟持することで、本体５１と作動部材６０の下端部分を連結している。
また、ロック部材５４は本体５１の上部寄りに設けてあり、このロック部材５１よりも下方にばね５６と摺動子５７が設けられて摺動子５７とロック部材５４が干渉しないようにしてある。
また、操作ハンドル５２は摺動子５７よりも下方に取付けられている。
【００３３】
このようであるから、操作ハンドル５２を横向きの操作姿勢とすると、ロック部材５４のロック片５４ａが縦枠１５のガイド片５３に強く押しつけられる。
この状態で操作ハンドル５２を持って本体５１を上方に移動すると、ロック部材５４のロック片５４ａがガイド片５３に沿って摺動する。
そして、本体５１が前述した所定の位置に移動すると、ロック部材５４のロック片５４ａが図７に示すようにガイド片５３の切欠部５３ａに係合して本体５１が下方に移動しないように支持する。
これによって、パネル体３が縦向き姿勢でロックされる。
【００３４】
前述の状態からパネル体３を横向き姿勢に回動するには、まず、ロック部材５４の操作片５４ｂを操作してロック部材５４をばね５６に抗してロック解除位置に揺動し、ロック片５４ａを切欠部５３ａから離脱する。
これによって、パネル体３の自重、移動子３０の自重、操作部材５０の自重等によって操作部材５０の本体５１が下方に移動し、移動子３０が下方に移動するのでリンク４０を介してパネル体３が下方に回動して横向き姿勢となる。
【００３５】
なお、図示は省略するが、縦枠１５にロック部材５４（ロック片５４ａ）が係合するロック部５５（切欠部５３ａ）を上下方向に間隔を置いて複数形成し、操作部材５０を複数の位置でロックできるようにすることで、パネル体３を複数の角度位置でロックできるようにすることができる。
【００３６】
図７に示すように、パネル体３を縦向き姿勢でロックしている状態で、上障子５を下方に移動して上部窓１を開放した時には、前述のロックが自動的に解除するように、ロック機構（ロック部材５４）と上障子５を連係してある。
例えば、上障子５が下方に移動すると上方に移動する可動子７０を図５、図７に示すように設け、この可動子７０が上方に移動するとロック部材５４をロック解除位置に揺動するようにする。
【００３７】
前述の可動子７０について詳細に説明する。
図２に示すように、上障子５が下方に移動すると下障子６が上方に移動するので、可動子７０を下障子６に連結して設ける。
この可動子７０の上部をクサビ形状とし、その可動子７０が上方に移動すると、その上部が縦枠１５（ガイド片５３を備えた内向片７１）とロック部材５４のロック片５４ａとの間に入り込んでクサビ作用でロック部材５４をロック解除方向に揺動するようにしてある。
【００３８】
このようにすれば、パネル体３が縦向き姿勢で上部窓１が開放されることがないので、縦向き姿勢のパネル体３が風で動き、損傷等することを未然に防止できる。
【００３９】
前述の実施の形態では、上部窓１と中間窓９と下部窓７を有するサッシ窓（建具）について述べたが、これに限ることはなく、上部窓１と中間窓９のみを有するサッシ窓（建具）でも良いことは勿論である。
【図面の簡単な説明】
【００４０】
【図１】本発明の実施の形態を示す上部窓、中間窓、下部窓を有したサッシ窓の内観図である。
【図２】図１の縦断面図である。
【図３】上部窓部分の拡大詳細断面図である。
【図４】パネル体を上下回動自在に取付けた部分の斜視図である。
【図５】パネル体を上下に回動操作する部分の断面図である。
【図６】パネル体を上下に回動操作する部分の斜視図である。
【図７】パネル体を縦向き姿勢でロックした状態の断面図である。
【符号の説明】
【００４１】
１…上部窓、２…透光パネル、３…パネル体、４…窓枠、５…上障子、６…下障子、７…下部窓、８…中間障子、９…中間窓、１５…縦枠、２０…支持手段、３０…移動子、４０…リンク、５０…操作部材、５１…本体、５２…操作ハンドル、５３…ガイド片、５３ａ…切欠部、５４…ロック部材、５４ａ…ロック片、５４ｂ…操作片、５５…ロック部、５６…ばね、５７…摺動子、６０…作動部材、７０…可動子。
【図１】
2008081992.tif 000003
【図２】
2008081992.tif 000004
【図３】
2008081992.tif 000005
【図４】
2008081992.tif 000006
【図５】
2008081992.tif 000007
【図６】
2008081992.tif 000008
【図７】
2008081992.tif 000009